(57)【特許請求の範囲】
【請求項１】
収納ケースに収納して被梱包用品を空中梱包する空中梱包具において、
中央部分に形成された前記被梱包用品の底部外形に応じた面積及び形状を有する充実面部及び当該充実面部の外周から周縁部に向かって当該充実面部を囲むようにＬ字切り込みと直線切り込みとが所定距離隔てて規則的に配列された面部をもつ第１の用品保持枠板部と、この第１の用品保持枠板部の四辺周囲からそれぞれ外側方向に所定間隔を有して複数の折り目を形成し、これら複数の折り目を折り曲げたときに上下動可能に支え機能を有する第１の枠腰板部とを有する第１の用品梱包具と、
この第１の用品梱包具とで前記被梱包用品を抱え込むために、中央部分に形成された前記被梱包用品の上部凹凸状態を吸収可能にするために幅広の十字形状に形成された充実面部及び当該充実面部の外周から周縁部に向かって当該充実面部を囲むようにＬ字切り込みと直線切り込みとが所定距離隔てて規則的に配列された面部をもつ第２の用品保持枠板部と、この第２の用品保持枠板部の四辺周囲からそれぞれ外側方向に所定間隔を有して複数の折り目を形成し、これら複数の折り目を折り曲げたときに上下動可能に支え機能を有する第２の枠腰板部とを有する第２の用品梱包具と
を備えたことを特徴とする空中梱包具。
【請求項２】
収納ケースに収納して被梱包用品を空中梱包する空中梱包具において、
中央部分に形成された前記被梱包用品の底部外形に応じた面積及び形状を有する充実面部及び当該充実面部の外周から周縁部に向かって当該充実面部を囲むようにクランク状切り込みと直線切り込みとが所定距離隔てて規則的に配列された面部をもつ第１の用品保持枠板部と、この第１の用品保持枠板部の四辺周囲からそれぞれ外側方向に所定間隔を有して複数の折り目を形成し、これら複数の折り目を折り曲げたときに上下動可能に支え機能を有する第１の枠腰板部とを有する第１の用品梱包具と、
この第１の用品梱包具とで前記被梱包用品を抱え込むために、中央部分に形成された前記被梱包用品の上部凹凸状態を吸収可能にするために幅広の十字形状に形成された充実面部及び当該充実面部の外周から周縁部に向かって当該充実面部を囲むようにクランク状切り込みと直線切り込みとが所定距離隔てて規則的に配列された面部をもつ第２の用品保持枠板部と、この第２の用品保持枠板部の四辺周囲からそれぞれ外側方向に所定間隔を有して複数の折り目を形成し、これら複数の折り目を折り曲げたときに上下動可能に支え機能を有する第２の枠腰板部とを有する第２の用品梱包具とを備えたことを特徴とする空中梱包具。
【請求項３】
収納ケースに収納して被梱包用品を空中梱包する空中梱包具において、
中央部分に形成された前記被梱包用品の底部外形に応じた面積及び形状を有する充実面部及び当該充実面部の外周から周縁部に向かって当該充実面部を囲むようにコ字状切り込みと直線切り込みとが所定距離隔てて規則的に配列された面部をもつ第１の用品保持枠板部と、この第１の用品保持枠板部の四辺周囲からそれぞれ外側方向に所定間隔を有して複数の折り目を形成し、これら複数の折り目を折り曲げたときに上下動可能に支え機能を有する第１の枠腰板部とを有する第１の用品梱包具と、
この第１の用品梱包具とで前記被梱包用品を抱え込むために、中央部分に形成された前記被梱包用品の上部凹凸状態を吸収可能にするために幅広の十字形状に形成された充実面部及び当該充実面部の外周から周縁部に向かって当該充実面部を囲むようにコ字状切り込みと直線切り込みとが所定距離隔てて規則的に配列された面部をもつ第２の用品保持枠板部と、この第２の用品保持枠板部の四辺周囲からそれぞれ外側方向に所定間隔を有して複数の折り目を形成し、これら複数の折り目を折り曲げたときに上下動可能に支え機能を有する第２の枠腰板部とを有する第２の用品梱包具と
を備えたことを特徴とする空中梱包具。
【請求項４】
収納ケースに収納して被梱包用品を空中梱包する空中梱包具において、
中央部分に形成された前記被梱包用品の外形状態に応じた面積及び形状を有する充実面部及び当該充実面部の外周から周縁部に向かって当該充実面部を囲むように、Ｌ字切り込み，クランク状切り込み及びコ字状切り込みの何れか１つの切り込みと直線切り込みとが所定距離隔てて規則的に配列された面部をもつ用品保持枠板部と、
この用品保持枠板部の四辺周囲からそれぞれ外側方向に所定間隔を有して複数の折り目を形成し、これら複数の折り目を折り曲げたときに上下動可能に支え機能を有する枠腰板部と
を有する用品梱包具を、前記収納ケース内の下側及び上側に配置し、前記被梱包用品を挟み込むように空中梱包することを特徴とする空中梱包具。
【請求項５】
請求項１ないし請求項４の何れか一項に記載の空中梱包具において、
前記用品保持枠板部に形成される前記Ｌ字切り込み、前記クランク状切り込み及び前記コ字状切り込みの何れか１つの切り込みと直線切り込みとは所定距離を離して交互に配列され、かつ前記切り込みは、前記充実面部のコーナ部分から放射方向に延びるラインを跨ぐように配列したことを特徴とする空中梱包具。
【請求項６】
請求項１ないし請求項４の何れか一項に記載の空中梱包具において、
前記枠腰板部は、それぞれ前記充実面部の四辺周囲から折り目を介して９０度折り曲げ可能な矩形型の第１の腰板と、これら第１の腰板から折り目を介して当該第１の腰板とは逆方向に折り曲げて当該第１の腰板と重ね合わせる矩形型の第２の腰板と、これら４つの第２の腰板のうち相対する２つの第２の腰板の両側部に設けられ、隣接する他片の前記第１の腰板と前記第２の腰板とを重ね合わせた隙間に嵌め込む連結片とで構成したことを特徴とする空中梱包具。
【請求項７】
請求項１ないし請求項４の何れか一項に記載の空中梱包具において、
前記枠腰板部は、それぞれ前記用品保持枠板部の四辺周囲から折り目を介して９０度折り曲げ可能な矩形型の腰板であることを特徴とする空中梱包具。
【発明の詳細な説明】
【技術分野】
【０００１】
本発明は、搬送時に電子部品、電子機器などの被梱包用品を空中梱包するための空中梱包具に関する。
【背景技術】
【０００２】
各種の電子部品や電子機器などの被梱包用品を搬送する際、収納ケース内に被梱包用品を空中に浮かせた状態で梱包するための空中梱包具が用いられる。
【０００３】
従来の空中梱包具は、方形をなす枠板の四辺周囲に枠折り目及び当該枠折り目から所定距離隔てて腰折り目を付けることにより、それぞれ２枚の矩形型の第1及び第２の腰板を形成する。第1の腰板は枠折り目〜腰折り目までの幅を有する矩形型の板体であり、第２の腰板は腰折り目以降に延びる第1の腰板よりも狭幅を有する矩形型の板体である。第1及び第２の腰板は、枠板の四辺周囲にそれぞれ形成される。
【０００４】
さらに、方形状の枠板の中央部分には、四角形の中窓を形成するとともに、当該中窓の四隅から放射方向に所定長さの切り込みを設け、かつ各切り込み端部を結ぶように窓折り目を付することにより、上下方向に可動可能な窓板を形成する。
【０００５】
そして、電子機器の梱包時、前述した枠板に対して第1の腰板を９０度折り曲げ、さらに第1の腰板に対して９０度折り曲げた状態にして収納ケース内の下側に配置した後、枠板中央部の中窓に付された窓板を下方に押し込むようにして電子機器を収納する。さらに、電子機器の上側に同様の梱包具を被せるように配置することにより、２つの梱包具で電子機器を挟み込む。さらに、上側梱包具の第1及び第２の腰板を、下側の梱包具の第1及び第２の腰板とは反対方向に折り曲げた後、収納ケースの蓋体を閉じて梱包を完了する（特許文献１）。
【０００６】
さらに、従来、他の梱包具としては、方形状の枠板中央部に中窓を形成するとともに、当該中窓を塞ぐようにサランラップのごときポリウレタンフイルムを貼り付けたものがある。この梱包具は、中窓に貼り付けられた伸縮可能なポリウレタンフイルム部分に電子機器を押付けるように設定した後、当該電子機器の上側に同様の構成の梱包具を被せるように設定し、２つの梱包具で電子機器を挟み込んで梱包する構成である。
【特許文献１】実用新案登録第３１００６６９号（図１参照）
【発明の開示】
【発明が解決しようとする課題】
【０００７】
しかしながら、前者の空中梱包具は、方形状の枠板の中央部に四角形の中窓を形成し、かつ当該中窓の四隅から放射状に切り込みを入れて上下方向に可動可能な窓板を形成した構成である。そのため、梱包可能な電子機器としては、窓板を含む中窓の形状及び大きさに依存した用品の梱包しか使用できない。このことは、電子機器ごとに梱包具の窓板を含む中窓の大きさを変更する必要がある。また、四角形の外形を持つ電子機器に限られ、例えば外部に凹凸を持った電子機器の梱包には不向きである。
【０００８】
また、梱包具の本体部分となる枠板に中窓が形成されているので、当該電子機器の凹凸部分を吸収することができない。つまり、電子機器の凹凸部分が中窓から飛び出し、空中梱包の役割を果たさなくなり、搬送時に電子機器を損傷させてしまう問題がある。
【０００９】
また、前者の梱包方法は、梱包具を用いて梱包した電子機器を収納ケース内に収納するとき、上下の梱包具の下部及び上部にエラスチック性薄膜、フォーム付き緩衝保持枠やゴム網付き緩衝保持枠を用いることから、これら緩衝保持枠を設定するためのスペースを確保する必要があり、コストが高くなり、収納ケースが大型化する問題がある。
【００１０】
一方、後者の梱包具においては、枠板に形成された中窓にポリウレタンフイルムを貼り付けたものであるが、例えば複数の電子部品を収納する場合、ポリウレタンフイルムの中央部分が膨出し、複数の電子部品が寄り集まった状態となってしまう。その結果、電子機器の搬送時に電子部品どうしで衝突し、損傷する問題がある。また、ポリウレタンフイルムを用いるため、電子機器搬送終了後の廃棄時に再生が難しく、環境を悪化させる可能性がある。
【００１１】
本発明は上記事情に鑑みてなされたもので、被梱包用品のずれを抑えるとともに、被梱包用品の外形が凹凸状態であっても容易に吸収して空中梱包を可能とする空中梱包具を提供することを目的とする。
【課題を解決するための手段】
【００１２】
上記課題を解決するために、収納ケースに収納して被梱包用品を空中梱包する本発明に係る空中梱包具は、中央部分に形成された前記被梱包用品の底部外形に応じた面積及び形状を有する充実面部及び当該充実面部の外周から周縁部に向かって当該充実面部を囲むようにＬ字切り込みと直線切り込みとが所定距離隔てて規則的に配列された面部をもつ第１の用品保持枠板部と、この第１の用品保持枠板部の四辺周囲からそれぞれ外側方向に所定間隔を有して複数の折り目を形成し、これら複数の折り目を折り曲げたときに上下動可能に支え機能を有する第１の枠腰板部とを有する第１の用品梱包具と、この第１の用品梱包具とで前記被梱包用品を抱え込むために、中央部分に形成された前記被梱包用品の上部凹凸状態を吸収可能にするために幅広の十字形状に形成された充実面部及び当該充実面部の外周から周縁部に向かって当該充実面部を囲むようにＬ字切り込みと直線切り込みとが所定距離隔てて規則的に配列された面部をもつ第２の用品保持枠板部と、この第２の用品保持枠板部の四辺周囲からそれぞれ外側方向に所定間隔を有して複数の折り目を形成し、これら複数の折り目を折り曲げたときに上下動可能に支え機能を有する第２の枠腰板部とを有する第２の用品梱包具とを備えた構成である。
【００１３】
この発明は以上のような構成とすることにより、第１及び第２の用品保持枠板部に形成される充実面部で被梱包用品のずれを防止し、かつ被梱包用品の凹凸を吸収し、さらに充実面部の外周から周縁部に向かって当該充実面部を囲むようにＬ字切り込みと直線切り込みとが所定距離隔てて交互に配列したことにより、被梱包用品に対する高容積率を確保することが可能である。
【００１４】
本発明においては、前記Ｌ字切り込みに代えて、クランク状切り込みまたはコ字状切り込みを配列したものであってもよい。
【００１５】
また、被梱包用品に外形状態に応じて、前記第１の用品梱包具又は前記第２の用品梱包具を２つ用いて、被梱包用品を空中梱包する構成であっても構わない。
【発明の効果】
【００１６】
本発明によれば、被梱包用品のずれを抑えるとともに、被梱包用品の外形が凹凸状態であっても容易に吸収して空中梱包できる空中梱包具を提供できる。
【発明を実施するための最良の形態】
【００１７】
以下、本発明の実施形態について図面を参照して説明する。  
（第１の実施の形態）
図１は本発明に係る空中梱包具の第１の実施形態を示す平面図である。  
この空中梱包具は、図１（ａ），（ｂ）に示すように上下に相対向させて各種の電子モジュール部品や電子機器などの被梱包用品（図示せず）を挟み込んで空中梱包する対となる第１及び第２の用品梱包具１０，２０により構成される。これら第１及び第２の用品梱包具１０，２０の素材としては、張り，剛性等に優れた特性を持った紙材（厚紙等）が用いられるが、ほぼ同じ特性を有するものであれば、例えば地球環境に負担をかけない薄いプラスチック材，薄いアクリル材であってもよい。しかし、用品梱包具１０，２０に最適な素材としては、前述した特性を保有するコート紙が望ましい。コート紙は、張り，剛性等の特性を有する他、湿気に対する吸収力が高く、環境にも比較的優しい材料であると言える。
【００１８】
図１（ｂ）に示す第１の用品梱包具１０は、収納ケース内の例えば下側に配置されるものであって、用品保持枠板部１１と枠腰板部１２とからなる。  
用品保持枠板部１１は、方形状に形成され、その面部の中央部分には被梱包用品の底部外形に応じた面積及び形状の充実面部１３が形成されている。充実面部１３は、被梱包用品の底面部が対面する部分であって、例えばほぼ長方形状に形成されている。これは、被梱包用品の底面部の外形形状が少なくとも図示左右方向に延びる長方形状に形成されていることを意味する。従って、被梱包用品の底面部の外形形状がほぼ正方形であれば、その形状に応じてほぼ正方形に形成されるものとする。
【００１９】
このように用品保持枠板部１１の中央部分に充実面部１３を設けた理由は、搬送時の被梱包用品のずれを抑制し、ひいては被梱包用品を安定に保持可能とする為である。
【００２０】
用品保持枠板部１１の充実面部１３の外周から当該用品保持枠板部１１の周縁部に至る面部にはＬ字切り込み１４ａと直線切り込み１４ｂが規則性をもった状態で配列される。すなわち、Ｌ字切り込み１４ａと直線切り込み１４ｂとは、所定の距離間隔を有し、かつ、交互に配列されている。Ｌ字切り込み１４ａは、充実面部１３の４つのコーナ部と用品保持枠板部１１周縁部の４つのコーナ部とを結ぶライン上に跨るように配列される。
【００２１】
さらに、隣り合うＬ字切り込み１４ａどうしの間には少なくとも１つ以上の直線補助切り込み１４ｃが設けられる。なお、充実面部１３の４つのコーナ部分の延長上にＬ字切り込み１４ａを設けたことにより、用品保持枠板部１１が被梱包用品の重量及び外形に馴染むように変形し、また大きな梱包容積を確保することができる。
【００２２】
前記枠腰板部１２は、用品保持枠板部１１の四辺周囲から外側方向に所定間隔を有して枠折り目１５ａ、腰折り目１５ｂ及びストッパ折り目１５ｃの順序で形成される。これら枠折り目１５ａと腰折り目１５ｂとの間、及び腰折り目１５ｂとストッパ折り目１５ｃとの間にそれぞれ矩形型の第１、第２の腰板１６ａ、１６ｂが設けられている。さらに、ストッパ折り目１５ｃの外側にはストッパ片１６ｃが設けられている。第１の腰板１６ａは、用品保持枠板部１１に対して直角に折り曲げて当該用品保持枠板部１１を支える部分である。第２の腰板１６ｂは、第１の腰板１６ａに対して内側に１８０度折り曲げ，つまり第１の腰板１６ａの折り曲げ方向と逆方向に折り曲げて第１の腰板１６ａによる支え機能を補強する役割をもっている。ストッパ片１６ｃは、第２の腰板１６ｂに対して直角に折り曲げて当該第２の腰板１６ｂの動きを封じる機能をもっている。
【００２３】
なお、１７は補強部材であって、これは第1及び第２の腰板１６ａ，１６ｂを折り曲げたとき、その第1の腰板１６ａと第２の腰板１６ｂとの間に嵌め込むことにより、用品保持枠板部１１の外周コーナ部分の折損を防止する役割をもっている。１８は用品保持枠板部１１の四辺周囲のうち、相対する２辺周囲の第２の腰板１６ｂの両側にミシン目を介して設けられ、隣接する腰板部分に連結する連結片である。すなわち、連結片１８は、隣接する辺の第1の腰板１６ａと第２の腰板１６ｂとの重ね合わせ部分に嵌め込むことにより、箱体形状に形成する機能をもっている。
【００２４】
一方、図１（ａ）に示す第２の用品梱包具２０は、被梱包用品の梱包時に第１の用品梱包具１０と対面して例えば上側に配置されるものであって、用品保持枠板部２１と枠腰板部２２とからなる。  
用品保持枠板部２１は、方形状に形成され、その面部の中央部分には充実面部２３が設けられる。充実面部２３は、被梱包用品上部に対面する部分であって、例えば所要の幅を持って十字形状に形成される。ここで、充実面部３３を幅広の十字形状に形成した理由は、充分な膨らみをもって被梱包用品の凹凸状態を吸収可能とする為である。なお、充実面部２３は充分な膨らみをもって被梱包用品の凹凸状態を吸収可能であれば、必ずしも十字形状に限るものではない。
【００２５】
用品保持枠板部２１の充実面部２３の外周から当該用品保持枠板部２１周縁部に至る面部にはＬ字切り込み２４ａと直線切り込み２４ｂと逆Ｌ字切り込み２４ｆが規則性をもった状態で配列される。すなわち、Ｌ字切り込み２４ａと直線切り込み２４ｂとは、所定の距離間隔を有し、かつ、交互に配列され、逆Ｌ字切り込み２４ｆは、Ｌ字切り込み２４ａと向かい合うように配列されている。Ｌ字切り込み２４ａと逆Ｌ字切り込み２４ｆは、充実面部２３である十字形状部の各コーナ部から用品保持枠板部２１の周縁部に向かう放射方向ライン上に跨るように配列される。そして、隣接するＬ字切り込み２４ａどうしの間には必要に応じて直線補助切り込み２４ｃが設けられる。
【００２６】
なお、充実面部２３である十字形状部の各コーナ部から放射方向の延長ライン上にＬ字切り込み２４ａを設けたことにより、充分な膨らみをもって被梱包用品の凹凸状態を吸収することが可能となる。
【００２７】
前記枠腰板部２２は、用品保持枠板部２１の四辺周囲から外側方向に所定間隔を有して枠折り目２５ａ、腰折り目２５ｂ及びストッパ折り目２５ｃの順序で形成されている。そして、枠折り目２５ａと腰折り目２５ｂとの間、及び腰折り目２５ｂとストッパ折り目２５ｃとの間にそれぞれ矩形型の第１、第２の腰板２６ａ、２６ｂが設けられている。さらに、ストッパ折り目２５ｃの外側にはストッパ片２６ｃが設けられている。第１の腰板２６ａは、用品保持枠板部２１に対して直角に折り曲げて当該用品保持枠板部２１を支える部分である。第２の腰板２６ｂは、第１の腰板２ａに対して内側に１８０度折り曲げ，つまり第１の腰板２６ａの折り曲げ方向と逆方向に折り曲げて第１の腰板２６ａを支えて補強する役割をもっている。ストッパ片２６ｃは、第２の腰板２６ｂに対して直角に折り曲げて当該第２の腰板２６ｂの動きを封じる役割をもっている。
【００２８】
なお、２７は補強部材であって、これは第1及び第２の腰板２６ａ，２６ｂを折り曲げたとき、その第1の腰板２６ａと第２の腰板２６ｂとの間に嵌め込むことにより、用品保持枠板部２１の外周コーナ部分の折損を防止する機能をもっている。２８は用品保持枠板部２１の四辺周囲のうち、相対する２辺周囲の第２の腰板２６ｂの両側部にミシン目を介して設けられ、隣接する腰板部分を連結する連結片である。この連結片２８は、隣接する辺の第1の腰板２６ａと第２の腰板２６ｂとの重ね合わせ部分に嵌め込むことにより、箱体形状に形成する機能をもっている。
【００２９】
次に、図２は第１及び第２の用品梱包具１０，２０を用いて被梱包用品３１を空中梱包する例を説明する図である。
【００３０】
先ず、図２（ｃ）にて、第１の用品梱包具１０は、用品保持枠板部１１の四辺周囲に形成された枠折り目１５ａを介して第１の腰板１６ａを９０度下側に折り曲げ、さらに、腰折り目１５ｂを介して第２の腰板１６ｂを当該第１の腰板１６ａの内側に重ねあわせるように１８０度折り曲げる。この折り曲げは用品保持枠板部１１の四辺周囲に形成される全部の第１の腰板１６ａ及び第２の腰板１６ｂについて行う。なお、第２の腰板１６ｂを折り曲げる際、補強部材１７も同時に折り曲げ、連結片１８とともに、用品保持枠板部１１の四辺のうち、隣接辺の第1の腰板１６ａと第２の腰板１６ｂとの間に嵌め込むことにより、下部が開口された四角形の箱型に形成する。そして、第１及び第２の腰板１６ａ，１６ｂを折り曲げた後、当該第２の腰板１６ｂに対してストッパ折り目１５ｃを介してストッパ片１６ｃを内側方向に９０度折り曲げ、第１及び第２の腰板１６ａ，１６ｂの動きを封じる。
【００３１】
このようにして箱型に形成された第１の用品梱包具１０を図３に示すように収納ケース３２（梱包箱）内の下側に配置する。
【００３２】
さらに、収納ケース３２内に配置された第１の用品梱包具１０の上部に被梱包用品３１を多少押付けるように載置した後、第２の用品梱包具２０についても、第１の用品梱包具１０と同様に第１の腰板２６ａ，第２の腰板２６ｂ及びストッパ片２６ｃを折り曲げることにより、箱型形状の第２の用品梱包具２０を作成する。
【００３３】
さらに、第２の用品梱包具２０については、第１の腰板２６ａを用品保持枠板部２１の四辺周囲から９０度上側に折り曲げた後、第２の腰板２６ｂ及びストッパ片２６ｃを第１の用品梱包具１０と同様の要領で折り曲げ、上部が開口された四角形の箱型に形成し、被梱包用品３１の上部に被せるように配置する。
【００３４】
図３は第１及び第２の用品梱包具１０，２０を用いて被梱包用品３１を梱包したときの側方からイメージ図である。つまり、被梱包用品３１は第１及び第２の用品梱包具１０，２０によって空中梱包した状態を表している。
【００３５】
従って、以上のような実施の形態によれば、第１の用品梱包具１０の充実面部１３が被梱包用品３１の底面外形に応じた形状に形成されているので、被梱包用品３１の底面部が第１の用品梱包具１０の充実面部１３に馴染んだ状態に設定することが可能となり、搬送時に被梱包用品３１のずれを抑制でき、ひいては被梱包用品３１を安定に保持できる。
【００３６】
また、用品保持枠板部１１の充実面部１３から当該用品保持枠板部１１周縁部に至る面部にＬ字切り込み１４ａと直線切り込み１４ｂとを所定間隔、かつ交互に配列したことにより、第１の用品梱包具１０における梱包部分の深さを徐々に調節できる。さらに、充実面部１３の４つのコーナ部と用品保持枠板部１１周縁部の４つのコーナ部とを結ぶライン上に跨るようにＬ字切り込み１４ａを配列したことにより、被梱包用品３１の大小に応じて柔軟に梱包容積を可変できる。
【００３７】
また、用品保持枠板部２１の充実面部２３から当該用品保持枠板部２１周縁部に至る面部にＬ字切り込み２４ａと直線切り込み２４ｂとを所定間隔、かつ交互に配列したことにより、用品保持枠板部１１と同様に梱包部分の深さを徐々に調節できる。さらに、用品保持枠板部２１の充実面部２３の形状を例えば幅広の十字形状とするとともに、これら幅広の十字形状の各コーナ部分から放射方向ラインに跨ってＬ字切り込み２４ａを形成したことにより、被梱包用品３１の複雑な凹凸状態であっても、柔軟に包み込むように変形させることができる。すなわち、被梱包用品３１の上部が複雑な立体形状であっても、収納ケース３１内に高容積率で梱包することができる。
【００３８】
なお、上記実施の形態は、枠腰板部１２，２２にストッパ片１６ｃ，２６ｃを設けたが、これらストッパ片１６ｃ，２６ｃを削除したものでもよい。その理由は、第２の腰板１６ｂ，２６ｂの両側部に連なる連結片１８，２８が隣り合う辺の第1の腰板１６ａ，２６ａと第２の腰板１６ｂ，２６ｂとの重ね合わせた間に嵌め込むことにより、安定な四角形状の箱型となる為である。よって、必要に応じてストッパ片１６ｃ，２６ｃを設ければよい。
【００３９】
また、第１及び第２の用品梱包具１０，２０に補強部材１７，２７を設けたが、これら補強部材１７，２７が無くてもよい。連結片１８，２８が同様の機能を果たすためである。
【００４０】
（第２の実施の形態）
図４は本発明に係る空中梱包具の第２の実施形態を示す平面図である。この空中梱包具は、説明の便宜上，第２の用品梱包具２０のみについて説明し、第１の用品梱包具１０については省略する。
【００４１】
第２の用品梱包具２０は、図１（ａ）と同様に用品保持枠板部２１と枠腰板部２２とからなる。  
これら用品保持枠板部２１及び枠腰板部２２のうち、特に異なるところは用品保持枠板部２１である。枠腰板部２２は第１の実施の形態と同じであるので、ここでは省略する。
【００４２】
用品保持枠板部２１は、その中央部分に第1の実施の形態と同様に所定形状の充実面部２３が形成される。
【００４３】
そして、用品保持枠板部２１の充実面部２３外周から当該用品保持枠板部２１周縁部に至る面部にＬ字切り込み２４ａと直線切り込み２４ｂとが交互に配列したが、この第２の実施の形態では、用品保持枠板部２１の周縁部を除き、充実面部２３外周から用品保持枠板部２１周縁部に向かって、クランク状切り込み２４ｄと直線切り込み２４ｂとが交互に配列したものである。すなわち、用品保持枠板部２１の周縁部を除き、Ｌ字切り込み２４ａに代えて、クランク状切り込み２４ｄを設けたものである。
【００４４】
そして、隣接するクランク状切り込み２４ｄの間には必要に応じて第1の実施の形態と同様に１つ以上の直線補助切り込み１４ｃを設ける。
【００４５】
よって、この実施の形態は、クランク状切り込み２４ｄと直線切り込み２４ｂとを組み合わせた構成となる。
【００４６】
なお、第１の用品梱包具１０を構成する用品保持枠板部１１についても、図示させていないが、第１の用品梱包具１０と同様にＬ字切り込み１４ａに代えて、クランク状切り込み１４ｄ（図示せず）を設けるものである。
【００４７】
従って、この実施の形態によれば、第１の実施の形態と同様の効果を奏する他、用品保持枠板部１１，２１の面部に、Ｌ字切り込み１４ａ（図示せず）、２４ａに代えて、クランク状切り込み１４ｄ（図示せず），２４ｄを設けたことにより、被梱包用品３１がより複雑な凹凸状態であっても、柔軟に変形して包み込むことができる。すなわち、被梱包用品３１の上部が複雑な立体形状であっても、収納ケース３２内により高容積率で梱包できる。
【００４８】
（第３の実施の形態）
図５は本発明に係る空中梱包具の第３の実施形態を示す平面図である。この空中梱包具は、説明の便宜上，第２の用品梱包具２０のみについて説明し、第１の用品梱包具１０については省略する。
【００４９】
第２の用品梱包具２０は、図１（ａ）と同様に用品保持枠板部２１と枠腰板部２２とからなる。  
これら用品保持枠板部２１及び枠腰板部２２のうち、特に異なるところは用品保持枠板部２１である。枠腰板部２２は第１の実施の形態と同じであるので、ここでは省略する。
【００５０】
用品保持枠板部２１は、その中央部分に第1の実施の形態と同様に所定形状の充実面部２３が形成される。
【００５１】
そして、用品保持枠板部２１の充実面部２３から当該用品保持枠板部２１周縁部に至る面部に規則性をもってＬ字切り込み２４ａと直線切り込み２４ｂとが交互に配列したが、この第３の実施の形態では、用品保持枠板部２１の周縁部を除き、Ｌ字切り込み２４ａに代えて、コ字状切り込み２４ｅを設けたものである。
【００５２】
従って、この実施の形態は、コ字状切り込み２４ｅと直線切り込み２４ｂとを組み合わせた構成となる。
【００５３】
なお、第１の用品梱包具１０を構成する用品保持枠板部１１についても、図示させていないが、第１の用品梱包具１０と同様にＬ字切り込み１４ａに代えて、コ字状切り込み１４ｅ（図示せず）を設けるものである。
【００５４】
従って、この実施の形態によれば、第１の実施の形態と同様の効果を奏する他、用品保持枠板部１１，２１の面部に、Ｌ字切り込み１４ａ（図示せず）、２４ａに代えて、コ字状切り込み１４ｅ（図示せず），２４ｅを設けたことにより、被梱包用品３１がより複雑な凹凸状態であっても、柔軟に変形して包み込むことができる。すなわち、被梱包用品３１の上部が複雑な立体形状であっても、収納ケース３２内により高容積率で空中梱包できる。
【００５５】
（その他の実施の形態）
（１）  上記実施の形態では、図２（ｂ）に示すように電子部品を組み込んだ被梱包用品３１を梱包する例について述べたが、例えば図６に示すように基板３１ａの上面部及び下面部にそれぞれ凹凸を有する状態で電子部品３１ｂ，３１ｂ，…及び３１ｃ，３１ｃ，…を組み込んだ被梱包用品３１を梱包する場合、収納ケース３２の下側及び上側に配置される用品梱包具とも、図１（ａ）に示す十字形状の充実面部２３を有する用品保持枠板部２１を備えた第２の用品梱包具２０を用いてもよい。
【００５６】
この実施の形態によれば、用品保持枠板部２１を備えた２つの第２の用品梱包具２０を用いることにより、被梱包用品３１の上下面部が凹凸状態になっていても、当該２つの第２の用品梱包具２０の用品保持枠板部２１がその凹凸状態に応じて柔軟に変形するので、被梱包用品３１を確実に包み込むことができる。
【００５７】
（２）  また、例えば図７に示すように基板３１ａの上面部及び下面部にそれぞれほぼ同一高さ、かつ左右方向に電子部品３１ｂ，３１ｂ，…及び３１ｃ，３１ｃ，…を配列されている被梱包用品３１を梱包する場合、前述とは逆に被梱包用品３１の上下両側が平坦状態となっている。このような被梱包用品３１を梱包する場合、用品保持枠板部１１を備えた２つの第２の用品梱包具１０を用いることにより、被梱包用品３１を空中梱包する。
【００５８】
よって、このような用品保持枠板部１１を備えた第１の用品梱包具１０を用いることにより、被梱包用品３１のずれを防ぐだけでなく、被梱包用品３１を充実面部１３，２３に馴染ませて安定に保持することができる。
【００５９】
（３）  また、被梱包用品３１として、例えば図２（ｂ）とは逆に下側に凹凸状態となっている場合には、収納ケース３２の下側には第２の用品梱包具２０を配置し、当該収納ケース３２の上側には第１の用品梱包具１０を配置する構成であってもよい。
【００６０】
（４）  さらに、上記実施の形態では、用品保持枠板部１１，２１の四片周囲にそれぞれ第１の腰板１６ａ、２６ａ、第２の腰板１６ａ，２６ｂ及びストッパ片１６ｃ，２６ｃを設けたが、例えば第１の腰板１６ａ、２６ａのみを設け、第２の腰板１６ａ，２６ｂ及びストッパ片１６ｃ，２６ｃを取り除いた第１及び第２の用品梱包具１０´，２０´を用いて、被梱包用品３１を梱包してもよい。
【００６１】
図８はかかる第１及び第２の用品梱包具１０´，２０´を用いた収納ケース３２の一実施の形態を示す斜視図である。
【００６２】
２つの梱包具１０´，２０´で被梱包用品３１（図示せず）を挟み込むように梱包したとき、上側に配置される梱包具２０´が浮き上った状態となり、蓋体３３を完全に閉め切るまでの間不安定な状態となる。
【００６３】
そこで、この実施の形態では、収納ケース３２の蓋体３３内側に梱包具２０´を押え付ける緩衝材３６を取り付ける構成とする。緩衝材３６の取り付け位置は、梱包具１０´のほぼ中央部に被梱包用品３１を設定することから、被梱包用品３１の外形を考慮し、当該被梱包用品３１から十分に離れた蓋体３３内側の周縁部とする。
【００６４】
なお、図では、開閉蓋体３３内側の前後に緩衝材３６を取り付けたが、相対する両側方縁部に取り付けてもよく、或いは蓋体３３内側の四辺周縁部にそれぞれ緩衝材３６を取り付け、用品保持枠板部２１の四方を押さえ込む構成であってもよい。
【００６５】
この実施の形態によれば、収納ケース３２の蓋体３３の内側に緩衝材３６を取り付けたことにより、蓋体３３が閉塞した際、蓋体３３内側の緩衝材３６が自動的に用品保持枠板部２１を押え付けるので、上側に配置される梱包具２０が浮き上りを防ぐだけでなく、搬送時の被梱包用品３１の動きも確実に抑えることができる。
【００６６】
その他、本発明は、上記実施の形態に限定されるものでなく、その要旨を逸脱しない範囲で種々変形して実施できる。
【図面の簡単な説明】
【００６７】
【図１】本発明に係る空中梱包具の第1の実施の形態を示す平面図。
【図２】第１及び第２の用品梱包具を用いて、被梱包用品を梱包する例を説明する図。
【図３】第１及び第２の用品梱包具を用いて、被梱包用品を梱包したときの側方から見たイメージ図。
【図４】本発明に係る空中梱包具の第２の実施の形態を説明する平面図。
【図５】本発明に係る空中梱包具の第３の実施の形態を説明する平面図。
【図６】被梱包用品が上下方向に凹凸状態となっている例を示す図。
【図７】被梱包用品が上下方向に同一高さで、かつ図示左右方向に長く延びている例を示す図。
【図８】本発明に係る収納ケースの実施の形態を説明する展開図。
【符号の説明】
【００６８】
１０，１０´，２０，２０´…用品梱包具、１１，２１…用品保持枠板部、１２，２２…枠腰板部、１３，２３…充実面部、１４ａ，２４ａ…Ｌ字切り込み、１４ｂ，２４ｂ…直線切り込み、１４ｃ，２４ｃ…直線補助切り込み、１４ｄ，２４ｄ…クランク状切り込み、１４ｅ，２４ｅ…コ字状切り込み、１６ａ…第１の腰板、１６ｂ…第２の腰板、１８…連結片、３１…被梱包用品、３１ａ…基板、３１ｂ、３１ｃ…電子部品、３２…収納ケース、３３…蓋体、３６…緩衝材。
【図１】
0004804098.tif 000002
【図２】
0004804098.tif 000003
【図３】
0004804098.tif 000004
【図４】
0004804098.tif 000005
【図５】
0004804098.tif 000006
【図６】
0004804098.tif 000007
【図７】
0004804098.tif 000008
【図８】
0004804098.tif 000009